(57)【要約】【課題】演奏時に最適な状況で譜面を表示し、効率的な演奏や練習をすることが可能な電子楽譜の表示装置を提供すること。【解決手段】演奏される曲の楽譜表示形式が相違する複数の電子楽譜情報を記憶する楽譜情報記憶手段と、前記楽譜表示形式が相違する複数の電子楽譜情報を同時に表示することが可能な表示手段と、この表示手段に前記電子楽譜情報を表示する制御プログラムを記憶するプログラム記憶手段とを備え、前記プログラムは、楽譜表示形式が相違する楽譜に対し、画面表示位置を小節数に関連付けた表示を可能とするように表示制御する。【選択図】  図２
2007011220.tif 000002
【特許請求の範囲】
【請求項１】
演奏される曲の楽譜表示形式が相違する複数の電子楽譜情報を記憶する楽譜情報記憶手段と、
前記楽譜表示形式が相違する複数の電子楽譜情報を同時に表示することが可能な表示手段と、
この表示手段に前記電子楽譜情報を表示する制御プログラムを記憶するプログラム記憶手段とを備え、
前記プログラムは、楽譜表示形式が相違する楽譜に対し、画面表示位置を小節数に関連付けた表示を可能とするように表示制御することを特徴とする電子楽譜表示装置。
【請求項２】
前記楽譜表示形式が相違する複数の楽譜情報の表示は、ページ更新を連携させることを特徴とする請求項１記載の電子楽譜表示装置。
【請求項３】
前記複数の電子楽譜情報への関連付けとして、電子楽譜情報のうち、小節の入る数でページ割付を行うことを特徴とする請求項１又は２記載の電子楽譜表示装置。
【請求項４】
前記楽譜表示形式が相違する複数の表示形式としては、小節の大きさを均等に割り振るものと、可変して表示を行うことを特徴とする請求項１記載の電子楽譜表示装置。
【請求項５】
前記楽譜表示形式が相違する複数の表示形式は、総譜とパート譜であることを特徴とする請求項１乃至４のいずれか１項に記載の電子楽譜表示装置。
【発明の詳細な説明】
【技術分野】
【０００１】
本発明は、演奏時に楽譜を表示画面に表示する電子楽譜表示装置に関する。
【背景技術】
【０００２】
オーケストラ、吹奏楽や合唱は、中央に指揮者がおり、この指揮者を囲むように数十人の演奏者が配列して曲を演じている。各演奏者は、前方に各演奏者用の楽譜が載置された楽譜スタンドを置いて、演奏している。この楽譜は、演奏する曲の楽譜が紙に印刷された冊子になっている。
【０００３】
通常、演奏しようとする楽譜は、指揮者が使用する全ての楽器の楽譜が記載されている総譜と、演奏する楽器のみが記載されているパート譜を使用して演奏する。パート譜は、担当の楽器の演奏が無い場合は、休止記号と休止する小節数が記載してあり、休止記号のみが記載されたパート譜の楽器を演奏する演奏者は、他の楽器が演奏している小節数をカウントして、演奏の準備を行う必要があった。
【０００４】
また、演奏の練習に際しては、他の演奏者がどういう演奏をしているかを楽譜を基に確認したい時などがあっても、他の楽器のパート譜や総譜の楽譜を確認することが難しく、練習効果が低いものであった。
【０００５】
さらにまた、パート譜は音符の数や休符の長さに応じて小節の表示幅が変更されて表示されているため、他のパート譜と自分のパート譜では割付が異なるため、単純にパート譜を並べても、見たい箇所を探す必要があり、練習効果が低いものであった。
【０００６】
これらの課題を解決する手段としては、特許文献１に記載された「電子譜面台及び電子譜面の表示方法」や、特許文献２に記載された「楽譜表示装置および電子楽器」や、特許文献３に記載された「楽譜作成装置」が知られている。
【０００７】
特許文献１記載の電子譜面の表示方法などは、譜面ディスプレイに表示譜面の更新の制御手段を設け、取り込んだ音データと譜面データを比較し、その差をトレースして譜面めくりを行う方法や、フットスイッチなどを使用して譜面めくりを行う方法を提案している。
【０００８】
また、特許文献２記載の楽譜表示装置などは、譜面ディスプレイ上に複数のパート譜の表示を行い、自動演奏機能による演奏と時間による自動譜面めくりを行う装置を提案している。さらにまた、特許文献３記載の楽譜作成装置は、小節数を均等割付に設定し、必要な部分の小節幅を任意に変更可能な方法を提案している。
【０００９】
しかしながら、これらの装置および方法は、下記のような問題がある。特許文献１記載の装置は、楽譜には演奏楽器に応じて多数の楽器の演奏内容が記載されているが、全体の構成が判る総譜や他の演奏者のパート譜を容易に表示することが配慮されていない。また、特許文献２の装置は、パート譜のページ送りは、電子楽譜の時間情報に応じて自動的にページ送りを行うもので、演奏練習などで自由にページ送りをする配慮がされていない。楽譜の表示方式については、演奏者が自由に小節幅が均等表示方式と小節幅を可変にした場合とを選択できる配慮がなされていない。
【００１０】
さらにまた、特許文献３記載の装置は、楽譜の小節幅を変更して印刷するもので、演奏する際の総譜とパート譜を容易に表示することや、ページ送りが配慮されていない。
【特許文献１】特開２０００−２３１３７９号公報
【特許文献２】特開２００３−２２３１６５号公報
【特許文献３】特開平７−１２９１５５号公報
【発明の開示】
【発明が解決しようとする課題】
【００１１】
本発明は、上記のような問題点にかんがみてなされたもので、演奏時に最適な状況で譜面を表示し、効率的な演奏や練習をすることが可能な電子楽譜の表示装置を提供することを目的とするものである。
【課題を解決するための手段】
【００１２】
本発明は、上記の目的を達成するため、多数の演奏楽器に対応した楽譜を表示する電子楽譜装置において、表示形式が相違する複数の種類の楽譜を同一の表示装置に表示するものである。
【００１３】
本発明の請求項１記載の電子楽譜の表示装置は、演奏される曲の楽譜表示形式が相違する複数の電子楽譜情報を記憶する楽譜情報記憶手段と、前記楽譜表示形式が相違する複数の電子楽譜情報を同時に表示することが可能な表示手段と、この表示手段に前記電子楽譜情報を表示する制御プログラムを記憶するプログラム記憶手段とを備え、前記プログラムは、楽譜表示形式が相違する楽譜に対し、画面表示位置を小節数に関連付けた表示を可能とするように表示制御することを特徴とする。請求項１の発明によれば、表示形式が異なった複数の楽譜を関連付けて表示することが可能となり、効率的な演奏することができる。
【００１４】
請求項２記載の電子楽譜表示装置は、前記表示形式が相違する複数の楽譜情報の表示において、ページ更新を連携させることを特徴とする。請求項２の発明によれば、ページ更新が連携されて行われることにより、効率的な演奏をすることができる。
【００１５】
請求項３の電子楽譜表示装置は、前記複数の楽譜への関連付けとして、楽譜情報の内、小節の入る数でページ割付を行うことを特徴とする。請求項４の電子楽譜表示装置は、前記複数の表示形式としては、小節の大きさを均等に割り振るものと、可変して表示を行うことを特徴とする。請求項５の電子楽譜表示装置は、前記楽譜表示形式が相違する複数の表示形式としては、総譜とパート譜であることを特徴とする。
【発明の効果】
【００１６】
本発明によれば、多数の演奏楽器に対応した楽譜を表示する電子楽譜装置において、表示形式が相違する複数の種類の楽譜を同一の表示装置に表示し、演奏時に最適な状況で譜面を表示し、効率的な演奏や練習をすることが可能な電子楽譜表示装置を得ることができる。
【発明を実施するための最良の形態】
【００１７】
次に、本発明に係る電子楽譜の表示システムの実施形態について、図１〜図７ を参照して説明する。図１は、オーケストラによる演奏を行っている状態を示す図である。指揮者１と数十人の演奏者１ｂ〜１ｎにより曲を演奏する。指揮者１及び演奏者１ｂ〜１ｎは、前方に楽譜スタンド２を置いて、この楽譜スタンドに表示した電子楽譜を見て演奏する。
【００１８】
電子楽譜は、各楽譜スタンド２に組み込まれている電子楽譜表示装置３に設けられた表示手段、例えば液晶表示装置に表示される。また、スタンド２には液晶表示装置に表示した電子楽譜のページ送りを操作するフットペダル４が設けられている。
【００１９】
なお、指揮者１の楽譜スタンド２ａにはフットペダルをあまり使用しない場合もあり、電子譜面表示装置３ａの画面上には譜面のページ送り、戻し、練習番号などを任意に選定できる操作ボタン類を設けている。
【００２０】
次に、図１に示した電子楽譜表示装置３の構成について、図１及び図２を参照して説明する。図２は本発明を適用した電子楽譜表示装置の一実施例である。この電子楽譜表示装置３は、表示手段３として液晶表示装置により構成されている。
【００２１】
この表示手段３は、電子楽譜情報から生成されたパート譜や総譜の情報が表示され、演奏者に提供される。さらにこの表示手段３は、その一番表面部には、入力手段５として、利用者が操作を画面上のシンボルにタッチすることで行うことが可能となるタッチスクリーンが設置され、これらを一体形式の構成としたものである。利用者はタッチスクリーンを操作することにより、制御手段１１に対して楽譜情報の選択や、ページ送りなどの制御情報を入力することが可能となる。
【００２２】
また、別の入力手段４としてフットペダルを有する構成としている。このフットペダルを踏むことで、楽譜のページ更新などの操作を、利用者が手を使わずに行うことができる。
【００２３】
楽譜情報は楽譜情報記憶手段１３に保存されており、全ての演奏楽譜である総譜や、各楽器のみの楽譜であるパート譜が保存されている。楽譜情報はＭＩＤＩ（Musical  Instrument  Digital  Interface）規格に準拠したデータフォーマットで保存されることで、楽譜形態での表示も容易に行えるが、紙に書かれた譜面をスキャナ等で読み取って電子化し、音符、小節、頁等の楽譜情報を付加して保存しても良い。
【００２４】
制御手段１１は、入力手段４、５からのページ更新操作信号を受けて、楽譜情報の抽出を抽出手段１４に指令する信号を発信する。抽出手段１４は、制御手段１１からの信号を受け、該当する楽譜情報を楽譜情報記憶手段１３から抽出する。抽出された楽譜情報は表示手段３に伝達される。
【００２５】
楽譜情報記憶手段１３には、表示形式が相違する複数の種類の楽譜が個別に記憶されあるいは基となる楽譜から生成されるように記憶されている。ここでは、後者の場合も複数種類の楽譜が記憶される範疇に含まれる。
【００２６】
プログラム記憶手段１２には、上述した各動作を制御手段１１に実行させるためのプログラムが保存されており、これにより制御手段１１を動作させる。通信インターフェース手段１６は、電子楽譜情報などを外部のデータ保存サーバとデータ伝送を行うもので、無線や有線の通信システムや磁気媒体の記憶装置を経由してデータを楽譜情報記憶手段１３に保存し、また保存した楽譜情報を外部に伝送する。
【００２７】
制御手段１１、表示手段３、プログラム記憶手段１２、楽譜情報記憶手段１４、抽出手段１４及び通信インターフェース手段１６は、母線１５を経由して、データをやり取りする構成としている。
【００２８】
図３は、図２の表示手段３に表示された画面の拡大図である。画面には複数の楽譜が表示可能な構成としており、図では左側に総譜５１、右側に自分の演奏するパート譜５０を表示する様に選択した例を示している。
【００２９】
なお、表示する楽譜は、総譜とパート譜の組み合わせのみに限定されず、自分の演奏するパート譜と、関連するパート譜など、パート譜を２画面表示させることや、総譜を２画面表示することも可能である。
【００３０】
これにより、第２バイオリンの演奏者が第１バイオリンのパート譜を参照することや、確認したいパート譜を容易に参照することが可能となる。
【００３１】
さらに、画面には、利用者が電子楽譜表示装置の操作をキーボードやマウスによらず、直接手で表示画面の選択や、ページ送りなどの操作を行うことが可能なように、操作ボタン類６０〜６２が設けられている。
【００３２】
図４（ａ）（ｂ）は楽譜情報の表示例を説明するもので、小節の表示区分単位で示している。図４（ａ）は小節幅均等で割り付けた楽譜の表示例であり、図４（ｂ）は小節幅を可変にして割り付けた楽譜の表示例である。
【００３３】
図４（ａ）の小節幅均等の楽譜は一般的に総譜に用いられる表示方式で、各小節幅が均等であるため、複数の楽器などを並べても同一演奏タイミングで演奏が行えるものである。図４（ｂ）の小節幅可変の楽譜は、一般的にパート譜において用いられる表示方式である。
【００３４】
パート譜は、自分の演奏楽器の情報しか表示されないため、休符７１が連続している場合などは、休符記号と、休符の連続する小節数７２として「３」を表示することで、「３」小節分が省略して表示される。さらに、１小節に入っている音符が少ない場合は、幅が小さく表示される。また、１小節に入る音符の数が多い場合は幅広く表示される。
【００３５】
このため、自分の楽器と違ったパート譜を複数表示した場合、画面上に表示された楽譜の位置関係だけでは、違った演奏場所を示すこととなり、単純に並べて表示するだけでは他の楽器の演奏タイミングを見ることは出来ないものである。
【００３６】
次に図５は、楽譜情報記憶手段に保存される情報の分類と、保存内容の一例を示している。図５はバイオリン−１、バイオリン−２、フルート−１など、演奏楽器毎に楽譜情報を小節均等割付と可変割付の２種類の表示方式で個別に保存しており、演奏曲目全体を構成している。音符情報は、画面上に表示されるとして、各音符の長さ、大きさなどの表示サイズ、数、音符記号や臨時記号等の間隔などから、音符情報がいくつ目の小節に入るものであるか決定され、保存されている。
【００３７】
音符情報が入る小節は、表示画面の縦横の大きさ、表示される文字のサイズ、表示可能段数から、１ページあたりに表示可能な小節数が算出される。この算出結果から、１画面の何処の位置に各小節が表示されるかについても算出され、この値が表示座標が均等表示の場合はＸ１−Ｙ１〜Ｘ６−Ｙ６、可変表示の場合はＸ１１−Ｙ１１〜Ｘ１６−Ｙ１６として保存されている。
【００３８】
この結果、画面上の座標を確定することで、楽譜の小節が確定することとなる。これは均等表示でも可変表示でも同様である。
【００３９】
また、練習を行う場合に、曲の最初から全て演奏を開始するのではなく、途中から演奏を行う場合がある。このポイントを練習番号と称している。この練習番号は小節に関連していることから、練習番号の表示座標も算定され、他のデータと共に保存されている。
【００４０】
この保存データからは、画面上に表示される小節均等表示用のデータ作成と共に、パート譜に対応した総譜の該当小節を判断することが可能である。
【００４１】
なお、ＭＩＤＩデータは、音の高さ、音のＯＮ／ＯＦＦのタイミングなどを含んだ楽譜情報であり、これを用いることにより、１小節に入る音符の数、休符の連続数などを算定することが容易に可能である。
【００４２】
次に電子楽譜表示装置の使用モードについて図１〜図７を基に説明する。図６は電子楽譜表示装置全体の操作フローを示したフローチャートで、図７は楽譜の追加表示処理を行う場合のフローチャートである。
【００４３】
図６において、スタート（Ｆ−１０）から、楽譜表示ソフトを起動させて、楽譜の表示を行う。表示させる楽譜の種別として、総譜を表示するかパート譜の表示を行うかの選択（Ｆ−１１）を図３の画面上に表示されているボタン６０を選択することにより行う。図３は、パート譜６０を選択した状態であり、これにより表示された電子楽譜情報を利用者が確認可能となる。
【００４４】
パート譜を選択した場合、小節数を均等割付で表示（Ｆ−１２）するか、可変割付で表示（Ｆ−１３）するか、図３の選択ボタン６２、６３で切替操作を行い、楽譜の表示を行う（Ｆ−１４）。
【００４５】
また、総譜を選択した場合は、複数の楽器の楽譜が同一の小節区切りで表示される小節均等表示方式で表示する（Ｆ−１４）。この状態で演奏することも可能であるが、自分の演奏する楽器以外のパート譜を確認したい場合や、総譜を表示させたい場合など、複数の楽譜表示を行う場合は、図３の操作ボタン６１で「追加」のボタンを選択することで、詳細は後述するページ追加処理が行われる。（Ｆ−１６）
演奏者は単一あるいは複数の希望する楽譜が表示されている状態で、演奏を行う（Ｆ−１７）。演奏が進み、楽譜の表示範囲を超えた場合や、ページを戻して表示したい場合などは、図１のフットペダル４や図３のページ送りボタン６２を操作することで、ページ更新（Ｆ−１８）が行われる。
【００４６】
複数のパート譜を表示している場合、ページ更新を連動して行うかどうかを図３の選択ボタン６５で「連動／単独」を選択することにより行う。ページ更新を連動しない場合は、選択された時点の表示ページを保持することが可能であり、予め確認しておきたい部分を表示する場合などに有効である。
【００４７】
また連動させたい場合は、ページ更新の連動処理を行い、自パートのページ送りを行った際に、同期して関連パート譜のページ送りを行う。これにより複数の楽譜の更新が同時に行うことが可能となる。
【００４８】
このページ更新（Ｆ−１８）は、画面３のタッチスクリーン５上に表示されたボタン６０〜６５を押し操作しても可能であるが、両手がふさがっている楽器を演奏する場合は、フットペダル４の操作で、ページ送りやページ戻し操作が可能である。演奏や練習が進み、装置を停止させることで終了する（Ｆ−１９）。
【００４９】
図７はページ追加（Ｆ−１６）を行う場合の処理の手順を説明するものである。スタート（Ｆ−２０）から、追加する楽譜の楽譜種別を総譜かパート譜かを図３の操作ボタン６１を操作することで選択する（Ｆ−２１）。
【００５０】
総譜を選択した場合、パート譜と総譜とでは表示可能な小節数が大きく異なり、現在パート譜を表示している部分から、そのまま総譜を表示する場合、パート譜で表示している箇所と相違する場合もあり、演奏者の希望と合致しない場合が発生する。このため、希望する表示箇所選択（Ｆ−２２）として、演奏者がパート譜に表示されている小節を選択する。
【００５１】
表示箇所選択（Ｆ−２２）は、表示されているパート譜において、画面の任意の小節を選択することで、ページ番号と座標情報Ｘ２−Ｙ２が図２の制御手段１１に入力される。制御手段１１は図２の楽譜情報手段１３に保存された楽譜情報として、図５の楽譜情報データを参照し、Ｘ２−Ｙ２に該当する小節番号２を確定することが可能となり、この小節番号を元に、総譜の表示ページを的確に選定することが可能となる。
【００５２】
この選択は、小節可変表示／均等表示においても同様であり、また、パート譜と総譜など、異なる小節幅や情報を表示している楽譜においても、お互いの表示情報を関連付けて表示することが可能となる。
【００５３】
一方、楽譜種別の選択（Ｆ−２３）において、パート譜を選択した場合、他の関連するパートを表示するか、あるいは自パートを複数ページ表示するかを選択する。（Ｆ−２４）自パートを選択した場合は、現在の表示ページを更にもう１ページ表示するものであることから、既表示の自パート譜の表示しているページの次のページを表示するためのページ処理を行う（Ｆ−２５）。
【００５４】
楽譜の表示においては、パート譜の１ページに表示される範囲を広くするため、音符の少ない小節は幅を狭く、また、音符が多い小節は幅を長くし音符の表示を可能としている。  また、休符の続く小節では休符の小節数を休符の上部に記載することで、小節の表示長さを可変にすることが一般的である。このため、小節幅の可変表示方式を標準的に表示する（Ｆ−２６）。
【００５５】
また、関連パートを選択する場合は、総譜に収納されている全てのパート譜を、図示しないプルダウンメニュー等で表示することで選択し、自パートと並べて表示しても目標とする演奏箇所を容易に表示することが可能である様に、小節幅を均等で表示（Ｆ−２７）し、追加表示処理が終了する（Ｆ−２８）。
【００５６】
上記実施形態の説明では、楽譜情報記憶手段にパート譜と総譜が記憶され、表示手段により表示される場合について述べたが、これらの楽譜に限られず、表示形式の異なる複数の楽譜は楽譜情報記憶手段に記憶され、表示手段に表示されればよい。本発明は種々変形して実施可能であり、その技術思想の範囲内で本発明に含まれる。
【図面の簡単な説明】
【００５７】
【図１】本発明による電子楽譜の表示装置を利用し、実施形態を説明するためのオーケストラ配置した状態を示す図である。
【図２】電子楽譜表示装置の一実施の形態を示すための機能ブロック図である。
【図３】電子譜面表示装置の画面を説明する図である。
【図４】画面データの表示方式を説明する図である。
【図５】電子楽譜表示装置の保存データを示した図である。
【図６】電子楽譜表示装置の操作フローを示した図である。
【図７】電子楽譜表示装置の操作フローを示した図である。
【符号の説明】
【００５８】
１…指揮者 、    １ｂ、１ｃ、１ｎ…演奏者 、    ２ｎ…楽譜スタンド、    ３…電子楽譜表示装置、    ４、５…入力手段、  １１…制御手段、    １２…プログラム記憶手段、    １３…楽譜情報記憶手段、    １４…抽出手段、  １５…母線、  １６…通信インターフェース手段、    ５０、５１…楽譜、  ６０〜６５…操作ボタン、
【図１】
2007011220.tif 000003
【図２】
2007011220.tif 000004
【図３】
2007011220.tif 000005
【図４】
2007011220.tif 000006
【図５】
2007011220.tif 000007
【図６】
2007011220.tif 000008
【図７】
2007011220.tif 000009